(57)【要約】  本発明は、セルラーデバイス１６を使用して小売店での購入を完了させる、カードリーダー２４、２６機能を備えた、小売店の販売時点情報管理端末２２を介した商品の支払いに適合された方法およびシステムに関する。さらに、端末２２サイトは、コードタグ３０を備え付けられ、タグ３０と同じコードを有するスワイプカード２８を割り当てられる。顧客がセルラーデバイス１６でタグ３０を読み取り４２、端末の店員が、端末２２にカードを通し、読み取られた４２タグ３０コードおよびカードコードは、決済スイッチ３４で照合されて、購入を完了させる。
2015508201.tif 000002
【特許請求の範囲】
【請求項１】
セルラーデバイス（１６）を使用して小売店での購入を完了させる、小売店の販売時点情報管理端末（２２）を介した商品の支払いに適合された方法であって、前記端末（２２）が、カードリーダー（２４、２６）機能を備える方法において、
前記端末（２２）および小売店に属する一意のカードコードを有する端末（２２）カード（２８）を、前記端末に提供するステップであって、前記カードコード発行者（ＰＳＰ）が前記カードに、現在の発行者カードコードとは異なるその一意の発行者コードを提供し、顧客が購入を完了させようとするとき、前記端末（２２）が、前記端末（２２）を操作する店員によって使用されて、前記端末カード（２８）のデータの読み取りを可能にする、ステップと、
トランザクション／支払いスイッチ（３２）により前記カード（２８）のデータを送信するステップであって、前記トランザクション／支払いスイッチ（３２）が、前記一意の発行者コードを認識し、前記店員によって使用されて前記小売店および前記一意の端末（２２）を識別するとき、既存の端末（２２）のバックエンドネットワーク（１２）を通じて前記カード（２８）のデータを支払い決済スイッチ（３６）に送信する、ステップと、
前記端末（２２）に端末コードタグ（３０）を提供するステップであって、前記端末コードタグ（３０）が、前記端末に固有のものであり、前記端末カード（２８）の前記コードの少なくとも一部に一致し、前記セルラーデバイス（１６）を使用する顧客によって読み取られ（４２）て、前記セルラーデバイス（１６）に格納された支払いアプリケーション、および前記セルラーデバイス（１６）に取り付けられた手段により、前記セルラーデバイスに前記コード（３０）を登録し、購入を完了させるとき、前記セルラーデバイス（１６）を介して前記顧客が同意すると前記セルラーデバイス（１６）が、前記セルラーデバイス（１６）と関連するセルラーネットワーク（２０、４０）を通じて前記読み取られた（４２）一意の端末コード（３０）を前記決済スイッチ（３６）に送信する、ステップと、
前記一意のカードコードを前記端末（２２）コード（３０）と照合し、送信された前記２つのコードの間に少なくとも部分的に一致があるとき、前記バックエンドネットワーク（１２）を通じて前記販売時点情報管理端末（２２）に精算票を送信すること、したがって既存の販売時点情報管理端末（２２）の利用を可能にすることによって前記購入を完了させる、ステップと、
前記スイッチ（３６）が、前記小売店および顧客にそれぞれ属する口座（３８）を用いて前記購入を決済するステップと
を特徴とする、方法。
【請求項２】
前記支払い決済スイッチ（３２）が、顧客のセルラーデバイスへ前記スイッチ（３２）によって起動される領収書として、購入に関するすべての詳細を顧客のセルラーデバイス（１６）に送信する、請求項１に記載の方法。
【請求項３】
前記コードタグ（３０）が、クイックレスポンス（ＱＲ）、２Ｄコード、バーコード、ＲＦＩＤまたはＮＦＣコード／タグ、または肉眼で見ることができる文字コードのタイプである、請求項１に記載の方法。
【請求項４】
前記読み取り（４２）が、前記セルラーデバイス（１６）に備えられたスキャナーまたはカメラによって遂行される、請求項１に記載の方法。
【請求項５】
前記カードが、前記ＰＯＳ端末（２２）でソフトウェアとして提供される疑似カードである、請求項１に記載の方法。
【請求項６】
セルラーデバイス（１６）を使用して小売店での購入を完了させる、小売店の販売時点情報管理端末（２２）サイト（１０）を介した商品の支払いに適合されたシステムであって、前記端末（２２）が、少なくとも１つのカードリーダー（２４、２６）スロットを備えるシステムにおいて、
そのサイト（１０）で前記端末（２２）に接続されたバックエンドネットワーク（１２）と、
前記端末（２２）および小売店に属する一意のカードコードを有する端末（２２）カード（２８）であって、前記カードコード発行者（ＰＳＰ）が前記カードに、現在の発行者カードコードとは異なるその一意の発行者コードを提供し、顧客が購入を完了させようとするとき、前記端末（２２）が、前記端末（２２）を操作する店員によって使用されて、前記端末カード（２８）のデータの読み取りを可能にする、端末（２２）カード（２８）と、
電気通信スイッチ（３２）であって、前記一意の発行者コードを認識し、前記カード（２８）のデータを、
前記店員によって使用されて、前記小売店および前記カード（２８）のデータを送信している前記一意の端末（２２）を識別するとき、前記既存の端末（２２）のバックエンドネットワーク（１２）を通じて支払い決済スイッチ（３６）
に送信する、電気通信スイッチ（３２）と、
前記セルラーデバイス（１０）に取り付けられた読み取り手段を通じて、前記端末サイト（１０）でタグ（３０）を読み取る（４２）、および前記決済スイッチ（３６）への通信をトリガするように適合された、前記セルラーデバイス（１６）に格納された支払いアプリケーションと、
前記端末サイト（１０）に置かれた端末コードタグ（３０）であって、前記端末コードタグ（３０）が、前記端末（２２）に固有のものであり、前記端末カード（２８）の前記コードの少なくとも一部に一致し、前記セルラーデバイス（１６）を使用する顧客によって読み取られ（４２）て、前記読み取り手段を通じて前記セルラーデバイス（１６）に前記コード（３０）を登録し、購入を完了させるとき、前記セルラーデバイス（１６）を介して前記顧客が同意すると前記セルラーデバイス（１６）が、前記セルラーデバイス（１６）と関連するセルラーネットワーク（２０、４０）を通じて前記読み取られた（４２）一意の端末コード（３０）を前記支払い決済スイッチ（３６）に送信する、端末コードタグ（３０）と、
前記一意のカードコードを前記端末コード（３０）と照合するように適合され、送信された前記２つのコードの間に少なくとも部分的に一致があるとき、前記バックエンドネットワーク（１２）を通じて前記販売時点情報管理端末（２２）に精算票を送信すること、したがって既存の販売時点情報管理の利用を可能にすることによって、前記購入を完了させる、照合手段であって、前記スイッチ（３６）が、前記小売店および顧客にそれぞれ属する口座（３８）を用いて前記購入を決済する、照合手段と
を備えることを特徴とする、システム。
【請求項７】
支払い決済スイッチ（３２）が、顧客のセルラーデバイス（１６）へ前記スイッチ（３２）によって起動される領収書として、購入に関するすべての詳細を顧客のセルラーデバイス（１６）に送信する、請求項６に記載のシステム。
【請求項８】
前記コードタグ（３０）が、クイックレスポンス（ＱＲ）、２Ｄコード、バーコード、ＲＦＩＤコード、または肉眼で見ることができる文字コードのタイプである、請求項６に記載のシステム。
【請求項９】
前記読み取り手段が、前記セルラーデバイス（１６）に備えられたスキャナーまたはカメラである、請求項６に記載のシステム。
【請求項１０】
前記カードが、前記ＰＯＳ端末（２２）でソフトウェアとして提供される疑似カードである、請求項６に記載のシステム。
【発明の詳細な説明】
【技術分野】
【０００１】
本発明は、セルラーデバイス（ｃｅｌｌｕｌａｒ  ｄｅｖｉｃｅ）を使用して小売店での購入を完了させる、カードリーダー機能を備えた、小売店の販売時点情報管理端末（ｒｅｔａｉｌｅｒ  ｐｏｉｎｔ  ｏｆ  ｓａｌｅ  ｔｅｒｍｉｎａｌ）を介した商品の支払いに適合された方法およびシステムに関する。
【背景技術】
【０００２】
販売時点情報管理（ＰＯＳ）における従来のクレジットカードによる支払いは、クレジットカードによる支払いを処理するためのクレジットカード処理支払いサービスプロバイダ（ＰＳＰ）のプラットフォームに接続された商店／小売店の既存のＰＯＳで行われる。バックエンド／バックボーンのＰＳＰプラットフォームは、ＰＯＳ端末に接続される。Ｖｉｓａ（登録商標）、ＭａｓｔｅｒＣａｒｄ（登録商標）、およびその他のような支払いＰＳＰのネットワークは、バックエンドプラットフォーム中で動作する支払い処理システムを使用して、カード発行者によって発行されたカードを提供されたエンドユーザー／衣装屋によって行われる支払いを決済し、エンドユーザーが小売店で購入を行うとき、このカードは、スマートカードである場合、スロットに通され、または挿入され、ＰＯＳ端末によって読み取られる。
【０００３】
知られているカード発行者（銀行または金融機関）によって発行されたカードは、ＰＳＰに接続され、ＰＳＰが、発行者識別番号、カードの識別情報発行者コード（ｉｄｅｎｔｉｔｙ  ｉｓｓｕｅｒ  ｃｏｄｅ）により、エンドユーザーと小売店との間の勘定を決済して、決済スイッチを介して正しいＰＳＰおよびカード発行者に支払いを命令する。
【０００４】
ＰＳＰの発行者コードは、プレフィックス、すなわちデビット／クレジットカードの最初の数字で特徴付けられ、例えばＶｉｓａ（登録商標）は、６つの数字およびダイヤルアッププレフィックス［４５３９  ０３］、発行識別番号（ＩＩＮ）で識別することができ、ＭａｓｔｅｒＣａｒｄ（登録商標）は、数字［５４１２  ５６］で識別することができる。
【０００５】
バックエンドプラットフォームシステムは、支払い決済に、知られている電子データ交換（ＥＤＩ）メッセージシステムを使用することができる。ＥＤＩは、電気通信ネットワークを使用した、コンピューターシステム間の直接通信である。ＥＤＩメッセージは、注文書およびインボイスと同様に簡易なものであるが、支払い決済に対してはより複雑な情報交換とすることができる。
【０００６】
支払いのための他の知られているメッセージシステムは、電子資金振替（Ｅｌｅｃｔｒｏｎｉｃ  Ｆｕｎｄｓ  Ｔｒａｎｓｆｅｒ（ＥＦＴ））であり、これにより、単一金融機関内の、または複数の機関にわたって、コンピューターベースのシステムを通じて、ある口座から別の口座への金銭の電子交換または振替えが可能になる。
【発明の概要】
【発明が解決しようとする課題】
【０００７】
モバイル支払い方法およびそのためのシステムを提供する。
【課題を解決するための手段】
【０００８】
本発明の特に１つの目的は、支払い方法およびシステムを導入して、販売時点情報管理（ＰＯＳ）を介して、電子ＰＯＳ端末自体に変更を行うことなく、ソフトウェア、ハードウェア、またはファームウェアによって、セルラー無線データを転送することができる、例えば携帯電話／セルラー電話などのような、モバイルデバイス／セルラーデバイスによる支払いを可能にすることである。カードプレフィックスのリスト、ホワイトリストに、限られた努力を要するが、これは接続されたスイッチ端子を介してＰＯＳによってリモートで実行されることが可能である。さらに、カードが、ＰＯＳ端末でソフトウェアとして提供される疑似カードであり、モバイル支払いが、疑似カードによって遂行されることになる場合、ＰＯＳ端末のソフトウェアがコピーされ、カードがＰＯＳに通されるまたは挿入される必要があるステップが削除される。その後、わずかに変更されたソフトウェアは、ＰＯＳ端末に復元される。
【０００９】
ゆえに、本発明は、セルラーデバイスを使用して小売店での購入を完了させる、カードリーダー機能を備えた、小売店の販売時点情報管理端末を介した商品の支払いに適合された方法を示す。本発明は、端末および小売店に属する一意のカードコードを有する端末カードを端末に提供し、カードコード発行者（ＰＳＰ）は、現在の発行カードコードとは異なるその一意の発行コードをカードに提供し、端末は、端末（２２）を操作する店員によって使用されて、顧客が購入を完了させるとき、端末カードデータの読み取りを可能にし、
トランザクションスイッチ／取得スイッチ／ＰＯＳスイッチ）により、カードデータを送信し、トランザクションスイッチは、一意の発行コードを認識し、店員によって使用されて小売店および一意の端末を識別するとき、既存の端末のバックエンドネットワークを通じてカードデータを支払い決済スイッチに送信し、
端末に端末コードタグを提供し、端末コードタグは、端末に固有のものであって、端末カードのコードであり、セルラーデバイスに格納された支払いアプリケーション、およびセルラーデバイスに取り付けられた手段により、顧客がセルラーデバイスを使用して、セルラーデバイスにコードを登録することによって読み取られ、セルラーデバイスは、購入を完了させるとき、顧客が同意すると、セルラーデバイスを通じて、読み取られた一意の端末コードを、セルラーデバイスに関連するセルラーネットワークを通じて決済スイッチに送信し、
一意のカードコードを端末コードと照合し、送信された２つのコードの間に少なくとも部分的に一致があるとき、バックエンドネットワークを通じて販売時点情報管理端末に精算票（ｃｌｅａｒａｎｃｅ  ｎｏｔｅ）を送信すること、したがって端末にいかなる主要な変更も行われることなく、既存の販売時点情報管理端末を利用できるようにすることによって購入を完了させ、
スイッチは、小売店および顧客にそれぞれ属する口座で購入の決済をする。
【００１０】
本発明の一実施形態では、支払い決済スイッチは、顧客のセルラーデバイスへスイッチによって起動される領収書として、購入に関するすべての詳細を顧客のセルラーデバイスに送信する。
【００１１】
別の実施形態は、コードタグは、クイックレスポンス（ＱＲ）、２Ｄコード、バーコード、ＲＦＩＤまたはＮＦＣコードまたは同様のもの、または肉眼で見ることができる文字コード、すなわち数字またはアルファベットのコードのタイプである。
【００１２】
さらなる実施形態では、読み取りは、セルラーデバイスに備えられたスキャナーまたはカメラによって遂行される。
【００１３】
さらなる実施形態では、カードは、ＰＯＳ端末でソフトウェアとして提供される疑似カードである。さらに、本発明は、セルラーデバイスを使用して小売店での購入を完了させる、少なくとも１つのカードリーダースロットを備えた、小売店の販売時点情報管理端末サイトを介した商品の支払いに適合されたシステムを示す。このシステムは、
そのサイトで端末に接続されたバックエンドネットワークと、
端末および小売店に属する一意のカードコードを有する端末カードであって、カードコード発行者（ＰＳＰ）がそのカードに、現在の発行者カードコードとは異なる一意の発行者コードを提供し、端末は、顧客が購入を完了させるとき、端末を操作する店員によって使用されて端末カードデータの読み取りを可能にする、端末カードと、
トランザクションスイッチであって、一意の発行者コードを認識し、カードデータを、
店員によって使用されて、小売店およびカードデータを送信している一意の端末を識別するとき、既存の端末のバックエンドネットワークを通じて支払い決済スイッチ
に送信する、トランザクションスイッチと、
セルラーデバイスに取り付けられた読み取り手段を通じて端末サイトでタグを読み取る、および決済スイッチとの通信をトリガするように適合された、セルラーデバイスに格納された支払いアプリケーションと、
端末サイトに置かれた端末コードタグであって、端末コードタグは、端末に固有のものであり、端末カードのコードに一致し、セルラーデバイスを使用する顧客によって読み取られて、読み取り手段を通じてセルラーデバイスにコードを登録し、購入を完了させるとき、セルラーデバイスを介して顧客が同意するとセルラーデバイスは、セルラーデバイスに関連するセルラーネットワークを通じて読み取られた一意の端末コードを決済スイッチに送信する、端末コードタグと、
一意のカードコードを端末コードと照合するように適合され、送信された２つのコードの間に一致があるとき、バックエンドネットワークを通じて販売時点情報管理端末に精算票を送信すること、したがって、端末にいかなる変更も行うことなく既存の販売時点情報管理端末の利用を可能にすることによって、購入を完了させる、照合手段であって、スイッチは、小売店および顧客にそれぞれ属する口座を用いて購入を決済する、照合手段と
を備える。
【００１４】
本発明の一実施形態は、支払い決済スイッチを備え、支払い決済スイッチは、顧客のセルラーデバイスへスイッチによって起動される領収書として、購入に関するすべての詳細を顧客のセルラーデバイスに送信する。
【００１５】
さらなる実施形態は、コードタグが、クイックレスポンス（ＱＲ）、２Ｄコード、バーコード、ＲＦＩＤコード、ＮＦＣコード、または他の同様の非接触方式、または肉眼で見ることができる文字コードのタイプであることを含む。
【００１６】
さらなる実施形態は、読み取り手段が、セルラーデバイスに備えられたスキャナーまたはカメラであることを含む。
【００１７】
さらなる実施形態は、カードは、ＰＯＳ端末でソフトウェアとして提供される疑似カードであることを含む。
これ以降、本発明の実施形態、および所与の例をよりよく理解するために、説明全体にわたって添付の図面を参照する。
【図面の簡単な説明】
【００１８】
【図１】本発明に従ってセルラーデバイスを用いてＰＯＳで購入するためのシステムを概略的に示す図である。
【発明を実施するための形態】
【００１９】
本発明は、商店／小売店における既存のクレジットカード支払い端末でモバイル支払いトランザクションを行う方法およびシステムに関するものであり、本発明は、ＰＯＳにおける既存のソフトウェア、ハードウェア、またはファームウェアのいかなる追加の設備投資または開発／カスタマイズも必要としない。
【００２０】
本発明によれば、一実施形態は、エンドユーザーが、ソフトウェアを通じて既存のモバイル支払いシステムを介してモバイル支払いを行うことを可能にするモバイルデバイス／セルラーデバイスを有することを含む。本発明に従って、カード、スワイプカード、および／またはスマートカード、またはＰＯＳ端末におけるソフトウェアとして提供される疑似カードが、商店の／小売店のＰＯＳに発行される。モバイル支払いが疑似カードにより遂行されることになるとき、ＰＯＳ端末のソフトウェアはコピーされ、カードがＰＯＳに通される、または挿入されなければならないステップは削除される。その後、わずかに変更されたソフトウェアは、ＰＯＳ端末に復元される。
【００２１】
このカードは、カード番号および／または、例えば磁気ストリップもしくはコンピューターチップなどのカードのメモリ領域の数字により、小売店において１つの特定のＰＯＳ端末を一意に識別し、このカードは、支払い決済会社によって発行され、一例として例えばＩＩＮ  ９９９９  ９９−−  −−−−  −−−−のような、固有の支払いサービスプロバイダ（ＰＳＰ）リリース識別情報を有し、数字［−−−−］が例えば小売店、一意のＰＯＳ端末、および他の関連する銀行取引データを識別し、すなわちカードは、知られているＰＳＰカード発行者と同様であるが、この例では数字［９９９９  ９９］から、発行者識別情報、ＩＩＮが異なる。これは、ＰＯＳを既存のＥＤＩメッセージシステムと自動的に統合し、ＰＯＳ端末自体の変更を必要としない。ＰＯＳ端末で唯一必要であるのは、例示の発行者識別情報［９９９９  ９９］に対して、すなわち、ＰＯＳ端末が識別情報を認識するように、ＰＯＳ端末を設定することであり、これは簡単に遂行されるものである。
【００２２】
さらに、ＰＯＳのサイトは、本発明に従ってカードを有するセルラーデバイスを通じてエンドユーザーによって非接触で行われる購入に対して、対象のＰＯＳを識別する一意のコードでタグ付けされる。
【００２３】
小売店で購入を行うための本発明の方法は、１つの例示的実施形態では次のようである。小売店が、エンドユーザーによって支払われるべき額をＰＯＳ端末に入力する。その後、小売店は、この特定のＰＯＳに発行されたカードをＰＯＳスロットに通して、またはスロットに置いて、これがスマートカードである場合、カード上のコンピューターチップによりカードを読み取る。これにより端末をトリガして、エンドユーザーの資格情報を知ることなく、決済スイッチに対してモバイル支払い処理プラットフォームに特定額を引き落とす。端末は、認証および支払いの確認のために保留される。
【００２４】
一実施形態では、ＰＯＳ端末によって応答が受信されない場合、または、ＰＯＳ端末の店員によってキャンセルされた場合、処理は、例えば３０秒後にタイムアウトすることになる。同時に、カードがソフトウェアによって通される、読み取られる、またはトリガされるよりも前に、またはこれらの後に、エンドユーザーは、ステッカー／タグ／ラベル／無線通信（ＲＦＩＤ）、または同様の近距離無線通信（ＮＦＣ）からコードをスキャンし／読み取り、これを用いてＰＯＳは、エンドユーザーのセルラーデバイスのソフトウェアを通してタグ付けされ、または小売店の識別情報を明らかにする特定の店舗のコードを入力し、これによりコードは、使用中のセルラーネットワークを通じて決済スイッチに送信される。これにより、ＰＯＳ端末は、特定の販売時点情報管理のいかなる未払いに関する情報を要求できるようになり、ＰＯＳの支払い要求をエンドユーザーのセルラーデバイスが送信したコードと照合して、決済スイッチで支払いを遂行する。したがって、ＰＯＳからの支払い要求、およびＰＯＳ端末に入力された額を支払うよう求める要求は、次に、一意のＰＯＳ識別情報を使用することによって決済スイッチで照合されることが可能である。
【００２５】
照合が行われると、エンドユーザーは、受取人名、すなわち小売店を含む未払いの請求書、および未払い額を受け取る。依然として小売店は、支払い確認の待機中に、エンドユーザーの識別を意識せず、エンドユーザーは、それでも支払いトランザクションの同意または拒否を選択することができる。エンドユーザーが、支払いに同意することを選択する場合、エンドユーザーは、個人識別コード（ＰＩＮ）を入力して支払いに同意することを要求され、それによって支払いが処理され、関連する支払額がエンドユーザーに請求されることになる。支払いが完了されると、ＰＯＳは、決済スイッチを通じて、支払いが処理されたことを通知され、支払いの詳細付きの領収書のプリントアウトが行われる。しかし、依然としてエンドユーザーの識別情報は、明らかにされていない。
【００２６】
本発明をＰＯＳ端末に関連させるために、小売店は、第三者によって支給された、支払い決済スイッチに接続されて提供されるＰＯＳ端末を有すると仮定される。同様にモバイル支払いアプリケーションまたはサービスは、エンドユーザーのセルラーデバイスに事前に提供されている。本発明に従った支払いトランザクションシステムは、いかなる支払い手段の処理にも利用できること、すなわち、クレジットカード、銀行預金口座に対して購入の支払い合計額を変更できることが理解される。さらに、ランチクーポンまたは他のタイプのクーポン、ギフトカードなどの、いかなる他の支払い手段も、現在考えられるＰＯＳ端末によって処理されることが可能である。
【００２７】
本発明は、ＰＯＳ端末において現在知られているセルラーデバイス支払いソリューションを実行時に知られている多くの重要な問題を解決する。例えば、慎重な扱いを要する支払証明書（ｓｅｎｓｉｔｉｖｅ  ｐａｙｍｅｎｔ  ｃｒｅｄｅｎｔｉａｌｓ）は、ＰＯＳ端末でエンドユーザーによって使用されない。ユーザーの支払証明書は、明らかにされない、または匿名のままであって、ＰＯＳ端末のサイトにおける詐欺行為またはスキミングの可能性を最小限にする。また、重要な新しいソフトウェアは、小売店に置かれたＰＯＳ端末でインストールされる必要はなく、ステッカー／ＮＦＣタグ、またはコードのみが必要とされる。そうであった場合は、現在のＰＯＳ端末において膨大な費用を要することになる。さらに、知られている既存のＰＯＳ支払い端末およびそのバックエンドネットワークに、電子支払いフローまたはプロセスへの変更は行われない。したがって、エンドユーザーによるＰＯＳ端末支払いは、Ｖｉｓａ（登録商標）、ＭａｓｔｅｒＣａｒｄ（登録商標）などのような現在のＰＳＰ関連カードなど、エンドユーザーの所有するカードを使用する代わりに、使用中のＰＯＳに固有の小売店カードを通されること以外は、伝統的な支払いと全く同じである。
【００２８】
エンドユーザーは、カメラもしくはスキャナーを使用してモバイル支払いアプリケーションで、または商店、および特定のＰＯＳ端末の一意の支払いコードを入力することによって本人であることを確認する。本発明の支払い革新はさらに、本明細書に記載する同じ技術を使用して支払いの複数の手段を処理することができる。本発明は、ＰＯＳ端末にいかなる修正も必要としないので、既存のすべてのレポート、勘定調整表（ｒｅｃｏｎｃｉｌｉａｔｉｏｎ）などは、現在の既存のＰＯＳ端末と同様に、完全にトランスペアレントに機能する。
【００２９】
セルラーデバイスによるモバイル支払いは、ＰＯＳがセルラーデバイスの識別情報を知ることなく、代わりに特定のトランザクションの識別により合計金額の支払いを要求することによって、ＰＯＳ端末において行うことができ、トランザクションをルーティングして特定の顧客の支払い機器を実行すること、およびエンドユーザーの識別情報またはエンドユーザーの支払い口座を明らかにすることはない。本発明に従って、ＰＯＳは単に、支払いプロセスに単一の要求を送信し、支払い額を要求する。
【００３０】
これ以降、本発明を、添付の図１を参照することによって説明する。
【００３１】
図１は、本発明の方法を行うために使用される本発明のシステムを示し、それにより、小売店におけるＰＯＳ端末サイト１０が破線および点線で示され、バックネットワーク／バックボーンネットワーク１２が概略的に示される。ＰＯＳ端末サイトおよびバックネットワーク１２は、図１に二重矢印で示すように、電子的に通信している。本発明に従ってデバイス１６を使用することによって、買い求めた商品の購入を実際に完了させるときの、表示画面１８を備えたセルラー電話１６を握っている購入者／エンドユーザーの手１４が示される。デバイス１６とセルラーネットワークとの間の無線通信が、フラッシュ記号２０で概略的に示される。通信が、２Ｇ、２．５Ｇ、３Ｇ、または４Ｇのセルラーネットワークを介して確立されるかにかかわらず、モバイルデバイス／セルラーデバイス１６は、従来の携帯電話、ｉＰｈｏｎｅ（登録商標）、ｉＰａｄ（登録商標）、携帯情報端末（ＰＤＡ）などのような、セルラー無線通信が可能であるいかなるタイプとすることもできることが理解される。また、小売店は、本発明の要点において、商店または会社、大型店、専門店、またはＰＯＳ端末２２を介して支払われる任意の種類の商品を販売する、もしくはサービスを提供されるビジネスとすることができる。図１に示されるＰＯＳ端末は、カード読み取り能力を有する金銭登録器のような、多くのうちの一例にすぎず、したがって、本発明は図１に示されるタイプに限定されない。
【００３２】
ＰＯＳ端末２２は、カード上のコンピューターチップと共に備え付けられる、ＰＳＰが発行したスマートカードを読み取るためのスロット２４と、ＰＳＰが発行したカードを通すためのスロット２６とを備え付けられる。これは、単にスマートカードスロット２４、またはスワイプスロット２６を有するＰＯＳ端末２２のどちらかで、スマートカードが利用できるとき、このようなＰＯＳ端末２２を除外するものではない。上述のように、カードは、ＰＯＳ端末２２で提供される疑似カードとすることができる。次の説明では、カードを使用して本発明を説明するが、本発明はこのような物理的カード２８に限定されない。これは、一実施形態では疑似カードとすることができる。
【００３３】
ＰＳＰは、エンドユーザーと共に購入中にＰＯＳ店員によって通されるとき、特定のＰＯＳ端末２２を一意に識別し、したがって、少なくとも金額をＰＯＳ端末に送信し、小売店識別情報をバックエンドネットワーク１２に送信するカード２８を小売店に提供している。小売店にカード２８を提供するＰＳＰは、例えば特定のＰＯＳ識別情報を含む、および／またはカードの磁気ストリップおよび／またはコンピューターチップ上にも提供される、例えば９９９９  −−−−  −−−−  −−−−のような、独自のカード発行者識別情報の４つの数字／ダイヤルアッププレフィックスを有する。いくつかのＰＯＳ端末２２を備えた小売店が、各端末２２用の一意のＰＳＰ発行カード２８を受け取り、ＰＳＰ発行カードが発行されている端末２２のみを識別することに注意すべきである。既存のＰＯＳ端末２２における現在知られている物理的カード読み取り機能は、本発明によってすべて利用することができる。
【００３４】
ＰＯＳ端末サイト１０とバックエンドネットワーク１２との間の通信は、図１では二重矢印２９で概略的に示される。この通信は、図１には示していないセルラーネットワーク、インターネットを介して、ならびにＰＳＴＮダイヤルアップまたは他の同様のもしくは関連の通信方法を介して、無線で行われることが可能であることが理解される。
【００３５】
エンドユーザーが、購入の間に、図１に破線４２で概略的に示すタグ３０をスキャンする／読み取る／撮影するとき、タグは、ＰＯＳ端末２２および小売店の少なくとも識別情報を含み、それによってエンドユーザーは、使用中のセルラーデバイス１６にタグ３０を記録するモバイルアプリケーションに関連するＰＩＮコードを入力することにより、エンドユーザーの購入を確認することができ、ＰＯＳ識別情報付きのタグ３０情報は、購入を確定して完了させるために、バックエンドネットワーク１２に送信される。
【００３６】
一例として、カード２８は、ＰＯＳ端末２２識別情報および小売店識別情報、例えばコード［ｚｚｚｚ  ０１］を含む。同じまたは関連するコード［ｚｚｚｚ  ０１］は、タグ３０に提供される。これにより、ＰＯＳ端末２２によって送信される識別情報［ｚｚｚｚ  ０１］は、スキャンされた、または読み取られたタグ３０を通じてセルラーデバイス１６によって送信される識別情報［ｚｚｚｚ  ０１］と照合される。したがって、一実施形態においてこれらの２つの識別情報が、少なくとも一部一致する場合、購入が許可されて、完了される。当然ながら、購入が完了される前に、エンドユーザーの口座もまた、勘定残高を調べられ、過振りされないようにして、ＰＯＳ端末２２から送信された金額の支払いができるようにする。
【００３７】
タグ３０は、クイックレスポンスコード（ＱＰ）３０、全種類の２Ｄコード、バーコードおよび／またはＲＦＩＤ、ＮＦＣタグおよび／または肉眼で見ることができる文字コードなど、いくつかのタイプとすることができる。タグ３０が、肉眼で見ることができる文字コードである場合、本発明の一実施形態では、セルラーデバイス１６に、そのキーパッドを介して入力される、または他のコードのように、読み取られる／スキャンされる／撮影画面による（ｂｙ  ｆｏｏｔａｇｅ）ことが可能である。
【００３８】
さらに、図１は、前述のように、ＰＯＳ端末２２からの支払いの決済のためのバックエンド／バックボーンネットワークを概略的に示す。これにより、トランザクション／支払いスイッチ３２が、ＰＯＳ端末２２から送信された情報を受信し、具体的には４つのコードのカード発行者の数字、この例ではＰＳＰ（３４）のコード［９９９９  ９９］を調べ、このカードがＰＳＰ３４によって発行されていると認識し、購入情報メッセージを支払いおよび決定スイッチ３６に向かわせ、２つの同一コード［ｚｚｚｚ  ０１］間の照合が遂行され、購入を完了させ、銀行、金融機関３６などと精算する。金融機関３６は、標準的な統合インターフェイスを介してＰＯＳ２２と通信する。例えば、現在のように、Ｖｉｓａ（登録商標）カードが通される場合、スイッチ３２はこれをＶｉｓａ（登録商標）決済システム（図１には示さず）に向かわせる。
【００３９】
また、購入の照合を遂行するためにエンドユーザーのセルラーデバイス１６によって行われる、アンテナを備えたセルラーネットワークの基地局４０を介した通信２０が、概略的に示される。
【００４０】
添付の特許請求の範囲は、本発明の技術分野の当業者に、本発明の他の可能な実施形態を定めるものである。
【図１】
2015508201.tif 000003
【国際調査報告】
2015508201.tif 000004
2015508201.tif 000005
2015508201.tif 000006